(57)【要約】【目的】簡易な構成で配管の揺動・振動を抑制乃至は防止した状態で制振支持が可能であり、しかも種々の配管サイズに適用可能な汎用性の高い制振支持構成を有する配管支持具を提供する。【構成】配管内を流体が移動する際に生じるウォーターハンマー現象の如き配管の揺動・振動を制振支持によって抑制乃至は防止する配管支持具において、配管を抱持するバンド抱持部の内周面に、抱持する配管の外周面に当接する制振支持部材を着脱可能に配設して、前記配管を該配管とバンド抱持部との間に制振支持部材を介在させた状態で抱持支持する構成であり、  前記バンド抱持部の内周面に接する側である前記制振支持部材の裏面に凸部が設けられており、該凸部が入り込む長孔部が前記バンド抱持部に円環方向に延伸した状態で形成されていることを特徴とする。【選択図】図１
2020101245.tif 000002
【特許請求の範囲】
【請求項１】
配管内を流体が移動する際に生じるウォーターハンマー現象の如き配管の揺動・振動を制振支持によって抑制乃至は防止する配管支持具において、
配管を抱持するバンド抱持部の内周面に、抱持する配管の外周面に当接する制振支持部材を着脱可能に配設して、前記配管を該配管とバンド抱持部との間に制振支持部材を介在させた状態で抱持支持する構成であり、
前記バンド抱持部の内周面に接する側である前記制振支持部材の裏面に凸部が設けられており、該凸部が入り込む長孔部が前記バンド抱持部に円環方向に延伸した状態で形成されていることを特徴とする配管支持具。
【請求項２】
前記制振支持部材が、該制振支持部材の少なくとも表面に衝撃・振動吸収材料を配設した構成であることを特徴とする請求項１に記載の配管支持具。
【請求項３】
前記制振支持部材が、衝撃・振動吸収材料のみで又は衝撃・振動吸収材料を含む材料で形成された構成であることを特徴とする請求項１に記載の配管支持具。
【請求項４】
前記制振支持部材の衝撃・振動吸収材料が低反発性ウレタン、低弾性ゴムのいずれかであることを特徴とする請求項２又は３に記載の配管支持具。
【請求項５】
前記制振支持部材が、バンド抱持部の配管の荷重の掛かる部分に面状に配設される構成であることを特徴とする請求項１〜４の何れかに記載の配管支持具。
【請求項６】
前記制振支持部材が、バンド抱持部の配管の荷重の掛かる部分に複数個の点状に配設される構成であることを特徴とする請求項１〜４のいずれかに記載の配管支持具。
【請求項７】
前記制振支持部材が、配管の伸縮・揺動・移動の際にバンド抱持部の内周面に配管の外周面が接触する部分に配設される構成であることを特徴とする請求項１〜６のいずれかに記載の配管支持具。
【請求項８】
前記制振支持部材の凸部を、バンド抱持部の円環方向に延伸して形成された長孔部の任意の位置に入り込ませることにより該制振支持部材をバンド抱持部の任意の位置に固定する構成であることを特徴とする請求項１〜７のいずれかに記載の配管支持具。
【請求項９】
前記制振支持部材の凸部がバンド抱持部の長孔部に圧入固定又は嵌合固定する構成であることを特徴とする請求項１〜８のいずれかに記載の配管支持具。
【発明の詳細な説明】
【技術分野】
【０００１】
本発明は配管支持具に関し、詳しくは配管内を移動する流体による振動（ウォーターハンマー現象）による配管の揺動・振動を抑制乃至は防止した状態で制振支持する配管支持具に関する。
【背景技術】
【０００２】
配管内を移動する流体による振動（ウォーターハンマー現象）によって配管が振動・揺動する際に、これを抑制乃至は防止することにより配管支持具を取付ける天井・壁面・床面等の取付面に揺動・振動が伝播することを防止する配管支持具としては、配管とバンド抱持部との間に弾性部材を介在させることによって配管を支持する配管支持具が知られ、用いられている（例えば、特許文献１、非特許文献１等参照）。
【先行技術文献】
【特許文献】
【０００３】
【特許文献１】特許第３７１７７６６号
【非特許文献１】株式会社アカギ  「２０１４  アカギ総合カタログ  Ｐｉｐｅ  Ｈａｎｇｅｒｓ  ＆  Ｓｕｐｐｏｒｔｓ  Ｎｅｗｓ  ２０１４−６１  アカギ式  配管支持金具」２０１４．１発行  企画・製作  株式会社アカギ  広報課、第３２〜３９頁  「防震吊バンドについて」
【発明の概要】
【発明が解決しようとする課題】
【０００４】
特許文献１の技術は、配管と抱持バンドとの間に、抱持部材・弾性部材・取付部材の３層からなる防震構成の部材を介在させた状態で配管を抱持支持する構成となっている。
しかし、この特許文献１の技術では、３層の防震構成の部材が３層構成故にコスト高であるだけでなく、厚みが大であるため、抱持支持する配管の太さに対して数段階大きなサイズの抱持バンドを必要とするという問題点を有している。更に、コスト高の３層の防震構成の部材を、配管のサイズ毎に用意する必要があり、汎用性に欠けると共にコスト高であるという問題点を有している。
【０００５】
非特許文献１の技術では、防振弾性部材の両側の縁部にリブを各々設けることにより、該リブがバンド抱持部の両側の縁部に各々掛止することにより配管軸方向への位置ズレを防止する構成となっている。
しかし、この非特許文献１では、両側の縁部にリブが設けられた防震弾性部材についてバンド抱持部のサイズ毎に用意する必要があり、汎用性に欠けるものであった。
【０００６】
そこで本発明の課題は、簡易な構成で配管の揺動・振動を抑制乃至は防止した状態で制振支持が可能であり、しかも種々の配管サイズに適用可能な汎用性の高い制振支持構成を有し、しかも配設位置の自由度が高い配管支持具を提供することにある。
【課題を解決するための手段】
【０００７】
上記課題を解決する本発明は下記構成を有する。
【０００８】
１．配管内を流体が移動する際に生じるウォーターハンマー現象の如き配管の揺動・振動を制振支持によって抑制乃至は防止する配管支持具において、
配管を抱持するバンド抱持部の内周面に、抱持する配管の外周面に当接する制振支持部材を着脱可能に配設して、前記配管を該配管とバンド抱持部との間に制振支持部材を介在させた状態で抱持支持する構成であり、
前記バンド抱持部の内周面に接する側である前記制振支持部材の裏面に凸部が設けられており、該凸部が入り込む長孔部が前記バンド抱持部に円環方向に延伸した状態で形成されていることを特徴とする配管支持具。
【０００９】
２．前記制振支持部材が、該制振支持部材の少なくとも表面に衝撃・振動吸収材料を配設した構成であることを特徴とする上記１に記載の配管支持具。
【００１０】
３．前記制振支持部材が、衝撃・振動吸収材料のみで又は衝撃・振動吸収材料を含む材料で形成された構成であることを特徴とする上記１に記載の配管支持具。
【００１１】
４．前記制振支持部材の衝撃・振動吸収材料が低反発性ウレタン、低弾性ゴムのいずれかであることを特徴とする上記２又は３に記載の配管支持具。
【００１２】
５．前記制振支持部材が、バンド抱持部の配管の荷重の掛かる部分に面状に配設される構成であることを特徴とする上記１〜４の何れかに記載の配管支持具。
【００１３】
６．前記制振支持部材が、バンド抱持部の配管の荷重の掛かる部分に複数個の点状に配設される構成であることを特徴とする上記１〜４のいずれかに記載の配管支持具。
【００１４】
７．前記制振支持部材が、配管の伸縮・揺動・移動の際にバンド抱持部の内周面に配管の外周面が接触する部分に配設される構成であることを特徴とする上記１〜６のいずれかに記載の配管支持具。
【００１５】
８．前記制振支持部材の凸部を、バンド抱持部の円環方向に延伸して形成された長孔部の任意の位置に入り込ませることにより該制振支持部材をバンド抱持部の任意の位置に固定する構成であることを特徴とする上記１〜７のいずれかに記載の配管支持具。
【００１６】
９．前記制振支持部材の凸部がバンド抱持部の長孔部に圧入固定又は嵌合固定する構成であることを特徴とする上記１〜８のいずれかに記載の配管支持具。
【発明の効果】
【００１７】
請求項１に示す発明によれば、簡易な構成で配管の揺動・振動を抑制乃至は防止した状態で制振支持が可能であり、しかも種々の配管サイズに適用可能な汎用性の高い制振支持構成を有する配管支持具を提供することができる。
【００１８】
特に、抱持バンドの内周面に制振支持部材を配設したので、配管の揺動・振動を抑制乃至は防止した状態で配管を制振支持することができる。また、この制振支持部材による配管支持は、バンド抱持部の内周面に取付けるだけで可能であり、しかも取り外しも容易であるため、施工現場において制振支持を必要とする配管支持と制振支持を必要としない配管支持との間で配管支持具を融通することが可能である。更に、制振支持部材はバンド抱持部に着脱可能に配設されているため、衝撃・振動吸収力が低下した場合には制振支持部材を交換することで容易に対処することができる。
また、制振支持部材の配設位置は、バンド抱持部の円環方向の範囲に延伸して配設された長孔の範囲内であれば、どの位置であっても取付けることができるので、配設位置の自由度が高く、施工条件に応じた制振支持が可能である。
【００１９】
請求項２、３に示す発明によれば、衝撃・振動吸収材料によって配管の揺動・振動を抑制乃至は防止した状態での配管の制振支持が可能である。
【００２０】
請求項４に示す発明によれば、衝撃・振動吸収材料として容易に調達可能な低反発ウレタンや低弾性ゴムを用いているため低コスト化が可能である。
【００２１】
請求項５に示す発明によれば、面状に配設された制振支持部材によって配管を面支持できるため安定した状態での揺動・振動を抑制乃至は防止した状態での配管の制振支持が可能である。
【００２２】
請求項６に示す発明によれば、複数個の点状に配設された制振支持部材によって配管を複数点支持することにより配管が様々な方向に揺動・振動する場合であっても衝撃・振動吸収力が作用することになるため、配管の揺動・振動を効果的に抑制乃至は防止することが可能である。
【００２３】
請求項７に示す発明によれば、ウォーターハンマー現象等によっていわゆる暴れた状態の際であっても、バンド抱持部材の内周面の制振支持部材に配管の外周面が当接することになるので当接した際の負荷や衝撃が減じられる。従って、配管や配管支持具等、更には取付面等や各接続部分等の損傷を著しく抑制することができる。
【００２４】
請求項８に示す発明によれば、制振支持部材を任意の長さで、任意の数、バンド抱持部の任意の位置、に取付けることが可能である。従って施工条件等に応じた配管の支持が可能である。
【００２５】
請求項９に示す発明によれば、配管支持具の現場搬入時や施工時等のバンド抱持部に配管を抱持させていない状態であってもバンド抱持部から制振支持部材が脱落する恐れがない。従って、配管施工時においても制振支持部材を手指等で抑えることなく配管支持作業を行うことができる。
【図面の簡単な説明】
【００２６】
【図１】本発明に係る配管支持具の一実施例を示す６面図（正面図、平面図、底面図、左側面図、Ａ−Ａ線断面図、Ｂ−Ｂ線断面図）
【図２】図１に示す配管支持具の使用状態の一例を示す概略正面図（配管軸方向から見た図）
【図３】本発明に係る配管支持具の他の実施例を示す部分正面図
【図４】本発明に係る配管支持具の更に他の実施例を示す正面図
【図５】本発明に係る配管支持具の更に他の実施例を示す正面図
【図６】本発明に係る配管支持具の更に他の実施例を示す正面図
【発明を実施するための形態】
【００２７】
次に、添付の図面に従って本発明を実施例に基づき詳細に説明する。
【００２８】
本発明に係る配管支持具は、ウォーターハンマー現象等によって揺動・振動する配管の揺動・振動を抑制乃至は防止した状態で制振支持するものである。配管支持具の形式としては、天井面の如き取付面から垂設される吊りボルトに取付けられることによってガス管・給水管・給湯管等の配管類を吊下支持する吊下支持具や、床面や壁面に立設状態で取り付けることにより、床面や壁面に沿って配管される排水管等の配管類を立設支持する立配管具やフロアバンド等に適用することができる。
【００２９】
本発明の配管支持具の具体的構成としては、図１及び図２に示すように、
配管支持具１は、配管Ｐ内を流体が移動する際に生じるウォーターハンマー現象の如き配管Ｐの揺動・振動を制振支持によって抑制乃至は防止する構成において、
配管Ｐを抱持するバンド抱持部１１の内周面に、抱持する配管Ｐの外周面に当接する制振支持部材２を着脱可能に配設して、前記配管Ｐを該配管Ｐとバンド抱持部１１との間に制振支持部材２を介在させた状態で抱持支持する構成であり、
前記バンド抱持部１１の内周面に接する側である前記制振支持部材２の裏面に凸部２１が設けられており、該凸部２１が入り込む長孔部１２が前記バンド抱持部１１に円環方向に延伸した状態で形成されていること、
を主構成とするものである。
【００３０】
図１及び図２において、符号１３は吊下接続部材５に接続されるバンド端部、符号１４は配管支持具１のバンド抱持部１１の下端部分を拡開可能に接続する蝶番式の接続部、を各々示す。尚、接続部１４は、蝶番式に代えて組式であってもよいし、或いは、バンド抱持部１１を接続部１４の無い１本構成とした所謂提灯式の配管支持具等の公知公用のものを用いてもよい。
また、図２において、符号３は天井面の如き取付面、符号４は取付面３から吊下げられる吊りボルト、符号５は吊りボルト４に取付固定される吊下接続部材、符号６は吊下接続部材５にバンド端部１３を接続固定するためのボルト・ナット、を各々示す。
【００３１】
以下、本発明の構成について更に詳説する。
【００３２】
本発明の配管支持具１の基本的構成は、この種の配管支持具に用いられる材料として公知公用のものを特別の制限なく用いることができ、好ましくはステンレスやその他の金属製、或いはＡＢＳ樹脂やポリプロピレンに代表される合成樹脂製である。
【００３３】
バンド抱持１１には、前記したように長孔部１２が形成されており、本実施例においては一対のバンド抱持部１１の各々について１つ（１列）ずつ形成されている。
【００３４】
上記の長孔部１２に凸部２１を入り込ませることによってバンド抱持部１１に取付けられる制振支持部材２としては、少なくともその表面に衝撃・振動吸収材料を配設した構成であるか、衝撃・振動吸収材料のみで又は衝撃・振動吸収材料を含む材料で形成した構成であるか、のいずれかの構成であることが好ましい。また、制振支持部材２を合成樹脂によって形成し、その表面に低弾性ゴムシート等の衝撃・振動吸収材料製の薄膜体を貼付する構成とすることもできる。
【００３５】
制振支持部材２に用いられる衝撃・振動吸収材料としては、公知公用の衝撃・振動吸収材料を挙げることができ、例えば、低反発性ウレタン、低反発発泡樹脂（例えば、スチレン系エラストマー架橋発泡体等）、低弾性ゴム（例えば、ハネナイト（登録商標）、クロロプレンゴム等）が好ましく、中でも、低反発性ウレタンが高い衝撃・振動吸収性能を有していながら低価格であるためとりわけ好ましい。
【００３６】
制振支持部材２の形状としては、バンド抱持部１１の内周面に沿って配設されると共に該バンド抱持部１１に抱持支持される配管Ｐの外周面に沿った状態で当接する形状、即ち、本実施例に示すような矩形の板状であって表面に凹凸が形成された形状であることが好ましい。板状に形成することにより、配管Ｐの外周面に面接触して安定した支持が可能となると共に凹凸部分が衝撃・振動をより吸収するので制振効果がより高くなる。
【００３７】
制振支持部材２の裏面に設けられた凸部２１は、板状の部分と一体成形されたものであることが好ましいが、別体構成であってもよい。この凸部２１はバンド抱持部１１の長孔部１２に入り込むことにより該バンド抱持部１１に制振支持部材２を取付固定する構成であるが、長孔部１２からの抜け落ちを防止又は抑制するために凸部２１の太さは該長孔部１２の幅（配管軸方向における幅）と略一致乃至は大とすることによって長孔部２１に嵌合又は圧入して固定する構成であることが好ましい。また、凸部２１の先端部分を膨大形状とすることにより、膨大した部分が長孔部１２を圧入通過して抜け落ちを防止する構成とすることもできる。
【００３８】
本実施例では、４枚の板状の制振支持部材２を抱持バンド１１の内周面の４箇所に面状に取付けており、バンド抱持部１１の下方である長孔部１２の下方位置に取付けられた２つが主として抱持する配管Ｐの荷重が掛かる部分であり、バンド抱持部１１の上方である長孔部１２の上方位置に取付けられた２つが配管Ｐがウォーターハンマー現象等によって該配管Ｐが上下に暴れる状態になった場合等に当接する部分である。
【００３９】
以上の構成を有する本発明の配管支持具１は、図２に示すようにバンド抱持部１１に配管Ｐを抱持支持させることによって、バンド抱持部１１の内周面に配設された制振支持部材２により、配管Ｐが揺動・振動した際であっても配管の揺動・振動を抑制乃至は防止した状態で該配管Ｐを制振支持することができる。また、この制振支持部材２による配管の制振支持は、バンド抱持部１１の内周面に取付けるだけで可能であり、しかも取り外しも容易であるため、施工現場において制振支持を必要とする配管支持と制振支持を必要としない配管支持との間で配管支持具１を融通することが可能である。更に、制振支持部材２はバンド抱持部１１に着脱可能に配設されているため、衝撃・振動吸収力が低下した場合には制振支持部材２を交換することで容易に対処することができる。
【００４０】
以上、本発明に係る配管支持具の実施例について説明したが、本発明は上記構成に限定されず、本発明の範囲内において種々の態様を採ることができる。
【００４１】
上記実施例ではバンド抱持部１１に形成された長孔部１２は計２つ（２列）であったが、１つ或いは３つ以上であってもよいし、１つのバンド抱持部１１の円環方向に１列に限らず、２列以上が並行して形成されていてもよいし、並行する２列以上が円環方向にずれた状態で形成されていてもよい。また、長孔部１２が複数設けられた構成の場合、全ての長孔部１２に制振支持部材２の凸部２１を入り込ませて取付固定する必要はなく、支持する配管の支持条件等に応じて適宜選択して取付固定することが好ましい。更に、長孔部１２の円環方向に延伸する範囲内において適宜任意の選択した位置に凸部２１を入り込ませることにより制振支持部材２を適宜任意の選択した位置に取付固定することができる。
【００４２】
例えば、図３に示す態様は、６つの制振支持部材２を長孔部１２の各所に適宜取付固定した構成である。
【００４３】
また、図４に示す態様は、制振支持部材２を面状に配設するのではなく、複数個の点状に配設した構成である。
【００４４】
更に、図１及び図２の上記実施例に示す制振支持部材２に比べて長尺の制振支持部材２を用いる構成としてもよい。
図５に示す態様は、バンド抱持部１１の左右に１つずつの長尺面状の制振支持部材２を配設した構成である。
図６に示す態様は、バンド抱持部１１が接続部１４の無い１本構成とした所謂提灯式の配管支持具に適する構成であって、この場合、長尺面状の制振支持部材２をバンド抱持部１１の内周面の円環方向の略全面に配設した構成を採っている。
【符号の説明】
【００４５】
１  配管支持具
１１  バンド抱持部
１２  長孔部
１３  バンド端部
１４  接続部
２  制振支持部材
２１  凸部
３  取付面
４  吊りボルト
５  吊下接続部材
６  ボルト・ナット
Ｐ  配管
【図１】
2020101245.tif 000003
【図２】
2020101245.tif 000004
【図３】
2020101245.tif 000005
【図４】
2020101245.tif 000006
【図５】
2020101245.tif 000007
【図６】
2020101245.tif 000008